(57)【要約】【課題】無線送受信ユニット（ＷＴＲＵ）内でタイマを動作させるための方法および装置を提供すること。【解決手段】無線送受信ユニット（ＷＴＲＵ）は、回線交換（ＣＳ）呼要求を受信するステップと、呼要求に応答して、拡張パケット交換モビリティ管理サービス要求（ＥＳＲ）を送信するステップと、ＥＳＲの送信に応答してタイマを始動するステップと、ＥＳＲの送信に応答してハンドオーバコマンドを受信するステップと、ハンドオーバコマンドを受信したときタイマを停止するステップとを含む。【選択図】図６
2015159621.tif 000002
【特許請求の範囲】
【請求項１】
無線送信受信ユニット（ＷＴＲＵ）内でタイマを動かす方法であって、
回線交換（ＣＳ）サービス通知を受信するステップと、
発展型パケットシステムモビリティ管理拡張サービス要求（ＥＳＲ）メッセージを送信するステップと、
前記ＥＳＲを送信することに応答して、前記タイマを始動するステップと、
セル変更コマンドの受信かつＣＳフォールバック手順の完了に応答して前記タイマを停止するステップであって、前記セル変更コマンドは前記ＷＴＲＵにセル変更手続を実行するように指示する、ステップと
を備える、方法。
【発明の詳細な説明】
【技術分野】
【０００１】
関連出願の相互参照
本願は、２００８年１１月１０日に出願された米国特許仮出願第６１／１１２，８８０号および２００９年４月２日に出願された第６１／１６６，０７１号の利益を主張するものであり、これらの特許出願を、完全に記載されているかのように参照により本明細書に組み込む。
【０００２】
本発明は、無線通信に関するものであり、例えば無線送受信ユニット（ＷＴＲＵ）内でタイマを動作させるための方法および装置に関する。
【背景技術】
【０００３】
図１は、従来技術による発展型ユニバーサル移動通信システム（ＵＭＴＳ）地上無線アクセスネットワーク（Ｅ−ＵＴＲＡＮ）１００の概要を示す。図１に示されているように、Ｅ−ＵＴＲＡＮ１００は、３つのｅノードＢ（ｅＮＢ）を含む。しかし、任意の数のｅＮＢがＥ−ＵＴＲＡＮ１００に含まれてもよい。ｅＮＢ１０２は、Ｘ２インターフェース１０８によって相互接続される。また、ｅＮＢ１０２は、Ｓ１インターフェース１０６によって発展型パケットコア（ＥＰＣ）１０４に接続される。ＥＰＣ１０４は、移動管理エンティティ（ＭＭＥ）１０８と、サービングゲートウェイ（Ｓ−ＧＷ）１１２とを含む。
【０００４】
図２は、従来技術によるサービス要求手順の流れ図２００である。ステップ２０２では、ＷＴＲＵは、ＳＥＲＶＩＣＥ  ＲＥＱＵＥＳＴメッセージをｅＮＢに送信する。ステップ２０４では、ＷＴＲＵは、たとえばタイマＴ３４１７ｅｘｔなど、タイマを始動する。ステップ２０６では、ＷＴＲＵは、ＥＭＭ−ＳＥＲＶＩＣＥ−ＲＥＱＵＥＳＴ−ＩＮＩＴＩＡＴＥＤ状態に入る。ステップ２０８では、ＷＴＲＵは、ユーザプレーン無線ベアラがセットアップされ、したがって手順が成功であったと判定する。ステップ２１０では、ＷＴＲＵはタイマを停止し、ＥＭＭ−ＲＥＧＩＳＴＥＲＥＤ状態に入る。
【０００５】
図３は、従来技術によるサービス要求手順の信号図３００である。ｅＮＢ３０２は、回線交換（ＣＳ）呼要求３０４をＷＴＲＵ３０６に送信する。また、ｅＮＢ３０２は、ＣＳサービス通知３０８をＷＴＲＵ３０６に送信する。ＷＴＲＵ３０６は、拡張サービス要求（ＥＳＲ）メッセージ３１０でｅＮＢ３０２に応答する。次いで、ＷＴＲＵ３０６は、タイマ３１２を始動する。ＮＡＳセキュリティモード制御手順が完了した場合（３１４）、あるいはＮＡＳ無線ベアラが確立された（３１６）、またはサービス拒否メッセージ３１８がＷＴＲＵ３０６によって受信された場合、タイマが停止される（３２０）。
【発明の概要】
【発明が解決しようとする課題】
【０００６】
ＥＳＲ３１０がネットワークに送信されたとき、ＷＴＲＵ３０６がＥＭＭ−ＣＯＮＮＥＣＴＥＤモードにある場合には、ＮＡＳセキュリティ３１４がすでに確立されている可能性がある。さらに、ＷＴＲＵがセル変更メッセージ（ｃｈａｎｇｅ  ｃｅｌｌ  ｍｅｓｓａｇｅ）またはハンドオーバコマンドを受信した場合、ベアラがセットアップされない。したがって、サービス要求手順の失敗を示すサービス拒否メッセージを受信すること以外には、ＷＴＲＵは、サービス要求手順が成功であったにもかかわらず、タイマを停止しないことになる。
【０００７】
さらに、ＷＴＲＵ３０６がＥＭＭ−ＩＤＬＥモードにあり、ＣＳフォールバック要求のためにサービス要求メッセージ３１０をｅＮＢ３０２に送信する場合、ネットワークは、セキュリティモード手順を開始することができない。セキュリティモード手順は、ネットワークオペレータの選択肢であり、すべてのオペレータによって実装されているわけではない可能性がある。この場合、ＷＴＲＵ３０６は、セキュリティモード手順の完了を、タイマを停止するための指示として使用することができず、タイマが動作し続ける可能性がある。
【０００８】
ＬＴＥに関する前述の考察は、一例として提供されており、他の無線技術および無線標準に適用することができる。さらに、前述の考察はタイマに関するものであるが、当業者なら、タイマの代わりにカウンタなど任意の保時デバイスまたは時間制御デバイスを使用することができることを理解することができる。
【課題を解決するための手段】
【０００９】
ＷＴＲＵ内でタイマを動作させるための方法および装置が開示される。ＷＴＲＵは、接続モードにあることができる。ＷＴＲＵの受信機は、回線交換（ＣＳ）呼要求を受信するように構成しておくことができる。ＷＴＲＵの送信機は、ＣＳ呼要求に応答して拡張サービス要求（ＥＳＲ）を送信するように構成しておくことができる。ＷＴＲＵは、ＥＳＲの送信に応答してタイマを始動するように構成しておくことができる。ＷＴＲＵの受信機は、ＥＳＲの送信に応答してハンドオーバコマンドを受信するように構成しておくことができ、ＷＴＲＵは、ハンドオーバコマンドを受信したときタイマを停止するように構成しておくことができる。
【図面の簡単な説明】
【００１０】
より詳細な理解を、添付の図面と共に、例として与えられている以下の説明から得ることができる。
【図１】従来技術による発展型ユニバーサル移動通信システム（ＵＭＴＳ）地上無線アクセスネットワーク（Ｅ−ＵＴＲＡＮ）の概要を示す図である。
【図２】従来技術によるサービス要求手順の流れ図である。
【図３】従来技術によるサービス要求手順の信号図である。
【図４】一実施形態による無線通信システムの図である。
【図５】図４の無線通信システムのＷＴＲＵおよびｅＮＢの機能ブロック図である。
【図６】一実施形態によるＥＭＭサービス要求手順のシグナリング図である。
【図７Ａ】一実施形態によるタイマを動作させるための方法を示す信号図である。
【図７Ｂ】他の実施形態によるタイマを動作させるための方法を示す信号図である。
【発明を実施するための形態】
【００１１】
本発明は、無線送受信ユニット（ＷＴＲＵ）内でタイマを動作させるための方法および装置に関する。
【００１２】
「無線送受信ユニット（ＷＴＲＵ）」という用語は、以下で参照されたとき、それだけには限らないが、ユーザ機器（ＵＥ）、移動局、固定型もしくは移動型加入者ユニット、ページャ、セルラ電話、携帯情報端末（ＰＤＡ）、コンピュータ、または無線環境内で動作することが可能な任意の他のタイプのデバイスを含む。「基地局」という用語は、以下で参照されたとき、それだけには限らないが、ノードＢ、サイトコントローラ、アクセスポイント（ＡＰ）、または無線環境内で動作することが可能な任意の他のタイプのインターフェース用デバイスを含む。
【００１３】
図４は、一実施形態による無線通信システム４００を示す。通信システム４００は、複数のＷＴＲＵ４１０と、ｅノードＢ（ｅＮＢ）４２０とを含む。図４に示されているように、ＷＴＲＵ４１０は、ｅＮＢ４２０と通信する。３つのＷＴＲＵ４１０と１つのｅＮＢ４２０とが図４に示されているが、無線デバイスおよび有線デバイスの任意の組合せを無線通信システム４００に含むことができることに留意されたい。
【００１４】
ＷＴＲＵ４１０のそれぞれが、拡張パケットシステム（ＥＰＳ）移動管理エンティティ（ＥＭＭ）４１３を含むことができる。ＷＴＲＵ４１０は、２つの移動状態の１つで動作することができる。ＷＴＲＵ４１０の少なくとも１つが、ＷＴＲＵ４１０とｅＮＢ４２０の間の非アクセス層（ＮＡＳ）シグナリング接続を有していないとき、そのＷＴＲＵ４１０は、ＥＭＭ−ＩＤＬＥモードにあるとすることができる。ＷＴＲＵ４１０の１つがＮＡＳシグナリング接続を確立しているとき、そのＷＴＲＵ４１０は、ＥＭＭ−ＣＯＮＮＥＣＴＥＤモードにある。
【００１５】
ＷＴＲＵ４１０のそれぞれが、サービス要求手順を使用し、それらのＥＭＭモードをＥＭＭ−ＩＤＬＥモードからＥＭＭ−ＣＯＮＮＥＣＴＥＤモードに移行し、また上りリンク（ＵＬ）ユーザデータを送るために無線ベアラを確立することができる。ＵＬデータは、ＷＴＲＵ４１０からｅＮＢ４２０に送られるデータである。
【００１６】
また、サービス要求手順を使用し、移動局発信（ＭＯ：ｍｏｂｉｌｅ  ｏｒｉｇｉｎａｔｉｎｇ）または移動局着信（ＭＴ：ｍｏｂｉｌｅ  ｔｅｒｍｉｎａｔｉｎｇ）回線交換（ＣＳ）フォールバック手順を起動することができる。また、この手順は、ネットワークが下りリンク（ＤＬ）シグナリングをペンディングにしており、ＷＴＲＵ４１０の１つがＵＬシグナリングをペンディングにしており、ＷＴＲＵ４１０の１つまたはｅＮＢ４２０がユーザデータをペンディングにしており、そのユーザデータが送られる先のＷＴＲＵがＥＭＭ−ＩＤＬＥモードにあるとき、あるいは、ＷＴＲＵ４１０の１つがＥＭＭ−ＩＤＬＥモードまたはＥＭＭ−ＣＯＮＮＥＣＴＥＤモードにあり、ＭＯ  ＣＳフォールバックまたはＭＴ  ＣＳフォールバックを実行するように要求しているとき、使用することができ
る。
【００１７】
サービス要求手順は、ＷＴＲＵ４１０の少なくとも１つによって開始されてもよい。しかし、ＷＴＲＵがＥＭＭ−ＩＤＬＥモードにある間のＤＬシグナリングまたはユーザデータの転送については、ｅＮＢ４２０によってページングメッセージ内でトリガを送ることができる。ページングメッセージによって目標とされたＷＴＲＵは、そのＷＴＲＵがページングメッセージを受信し、送るべきペンディングのユーザデータを有し、またはペンディングのＵＬシグナリングを有するとき、サービス要求手順を起動することができる。ＥＭＭ−ＩＤＬＥモードまたはＥＭＭ−ＣＯＮＮＥＣＴＥＤモードにあるＷＴＲＵは、そのＷＴＲＵがＣＳフォールバック要求を受信し、またはページもしくはサービス通知などＣＳ呼のための通知を受信したとき、サービス要求手順を起動することができる。
【００１８】
図５は、図４の無線通信システム４００のＷＴＲＵ４１０の１つ、およびｅＮＢ４２０の機能ブロック図５００である。図３に示されているように、ＷＴＲＵ３１０は、ｅＮＢ３２０と通信する。典型的なＷＴＲＵに見出すことができる構成要素に加えて、ＷＴＲＵ３１０は、プロセッサ５１５と、受信機５１６と、送信機５１７と、アンテナ５１８とを含む。また、ＷＴＲＵ３１０はユーザインターフェース５２１を含むことができ、ユーザインターフェース５２１は、それだけには限らないがＬＣＤもしくはＬＥＤ画面、タッチスクリーン、キーボード、スタイラス、または任意の他の典型的な入力／出力デバイスを含むことができる。また、ＷＴＲＵ４１０は、揮発性および不揮発性のメモリ５１９と、ＵＳＢポート、シリアルポートなど、他のＷＴＲＵに対するインターフェース５２０とを含むことができる。また、ＷＴＲＵ４１０は、タイマ、カウンタ、または他の時間もしくは計数をベースとする制御デバイスなど、制御デバイス５２２を含むことができる。制御デバイス５２２は、プロセッサ５１５に電気的に結合されてもよい。
【００１９】
受信機５１６および送信機５１７は、プロセッサ５１５と通信する。アンテナ５１８は、受信機５１６および送信機５１７の両方と通信し、無線データの送信および受信を容易にする。ＷＴＲＵは、非アクセス層エンティティ（ＮＡＳ）、無線リソース制御エンティティ（ＲＲＣ）、メディアアクセス制御エンティティ（ＭＡＣ）、および特定のコマンドを処理し、特定のデューティを実施するように働く他のエンティティと共に構成されてもよい。ＷＴＲＵは、ＰＳおよび／またはＣＳ環境内で動作するように、またＰＳ、ＣＳ両コマンドを受信、送信、および処理するように構成されてもよい。ＷＴＲＵは、カウンタ、タイマ、および様々な手順の時間を調整するために使用される他のデバイスを含むことができる。
【００２０】
典型的なｅＮＢに見出すことができる構成要素に加えて、ｅＮＢ３２０は、プロセッサ５２５と、受信機５２６と、送信機５２７と、アンテナ５２８とを含むことができる。受信機５２６および送信機５２７は、プロセッサ５２５と通信する。アンテナ５２８は、受信機５２６および送信機５２７の両方と通信し、無線データの送信および受信を容易にする。
【００２１】
図６は、一実施形態によるＥＭＭサービス要求手順のシグナリング図６００を示す。ｅＮＢ６０２は、ＣＳ呼要求６０６およびＣＳサービス通知６０８をＷＴＲＵ６０４に送信する。ＷＴＲＵ６０４は接続モードにあり、拡張サービス要求６１０をｅＮＢ６０２に送信する。ＷＴＲＵは、タイマを始動する（６１２）。ＷＴＲＵ６０４は、ハンドオーバコマンド６１４を受信し、ＷＴＲＵはタイマを停止する（６１６）。したがって、タイマを停止するための他の基準と共に、図６に示されているように、ＷＴＲＵ６０４は、ハンドオーバ６１４またはセル変更コマンドを受信したとき、タイマを停止する（６１６）。ハンドオーバコマンドまたはセル変更コマンドなど移動メッセージがＷＴＲＵ６０４によって受信される前にタイマが満了した場合、その手順が打ち切られる。
【００２２】
ＷＴＲＵがＣＳフォールバックのためのＥＳＲを送信し、その要求が拒否された場合、そのＷＴＲＵは、拡張サービス要求内で、ＣＳ呼が拒否されたことを示す指示をｅＮＢに送ることができる。これが行われる場合、トリガを使用し、タイマを停止することができる。図７Ａは、一実施形態による、ＥＳＲメッセージが呼拒否の指示と共に送られたときタイマを停止するための方法を示す信号図７００である。ｅＮＢ７０２は、ＣＳ呼要求７０６およびＣＳサービス通知７０８をＷＴＲＵ７０４に送る。ＷＴＲＵ７０４は、ＣＳ呼拒否指示７１０を含むＥＭＭサービス要求メッセージをｅＮＢ７０２に送る。ＣＳ呼拒否指示７１０を有する拡張サービス要求が送信された後で、タイマが始動される（７１２）。タイマが停止される（７１４）。タイマは、拡張サービス要求７１０が送信された直後に停止させてもよい（７１４）。あるいは、タイマは、所定の時間が経過した後、たとえばＣＳ呼が受け入れられていたならタイマが進行していたであろう時間の半分の後、停止させてもよい。ＮＡＳエンティティは、たとえばＥＳＲの送信を確認（ａｃｋｎｏｗｌｅｄｇｅ）するＲＲＣまたはＭＡＣなど、より下位の層のエンティティから通知を受け取ることができる。この通知をトリガとして使用し、タイマを停止することができる。
【００２３】
図７Ｂは、他の実施形態による、ＥＳＲメッセージが呼拒否の指示と共に送られたときタイマを停止するための方法を示す信号図７５０である。ｅＮＢ７０２は、ＣＳ呼要求７０６およびＣＳサービス通知７０８をＷＴＲＵ７０４に送る。ＷＴＲＵ７０４は、ＣＳ呼拒否指示７１０を含むＥＳＲメッセージをｅＮＢ７０２に送る。プロトコルデータユニット（ＰＤＵ）７５２、ＥＳＲの受信を確認するためのｅＮＢからＷＴＲＵへのＮＡＳメッセージなどのＮＡＳメッセージ７５４、またはＲＲＣメッセージ７５６が、ＷＴＲＵ７０２から、またはＷＴＲＵ７０２へ送られる。メッセージの受信または送信がＷＴＲＵをトリガし、タイマを停止する（７１４）。
【００２４】
あるいは、タイマの満了により問題が示されているとＷＴＲＵ７０２が判定することなしに、タイマを満了させてもよい。さらに、ＣＳ呼が拒否された場合、タイマがまったく始動されなくてもよい。タイマの停止により、フォールバック手順が完了するのに成功したことが示される。
【００２５】
本開示は、タイマを対象とするが、たとえばカウンタなど、任意の数の制御デバイスに適用可能とすることができる。本明細書では、タイマは、制御デバイスの一例である。
【００２６】
実施形態
１．無線送受信ユニット（ＷＴＲＵ）内でタイマを動作させるための方法であって、回線交換（ＣＳ）呼要求を受信するステップと、前記呼要求に応答して、拡張パケット交換移動管理サービス要求（ＥＳＲ）を送信するステップと、前記ＥＳＲの前記送信に応答して前記タイマを始動するステップと、前記ＥＳＲの前記送信に応答してハンドオーバコマンドを受信するステップと、前記ハンドオーバコマンドを受信したとき前記タイマを停止し、ＣＳフォールバック手順が成功であったことを示すステップとを含むことを特徴とする方法。
【００２７】
２．前記ハンドオーバコマンドはセル変更メッセージであることを特徴とする実施形態１記載の方法。
【００２８】
３．前記ＥＳＲ内でＣＳ呼拒否指示を送信するステップと、所定の期間の後で前記タイマを停止するステップとをさらに含むことを特徴とする実施形態１または２記載の方法。
【００２９】
４．前記所定の期間は、前記ＷＴＲＵが前記ＣＳ呼を受け入れたという指示を送信したとき前記タイマが進行するように構成されている時間の長さに基づくものであることを特徴とする実施形態３記載の方法。
【００３０】
５．無線送受信ユニット（ＷＴＲＵ）内でタイマを動作させるための方法であって、回線交換（ＣＳ）呼要求を受信するステップと、前記呼要求に応答して、ＣＳ呼拒否を含む拡張パケット交換移動管理サービス要求（ＥＳＲ）を送信するステップと、前記ＥＳＲの前記送信に応答して前記タイマを始動するステップと、データパケットを受信または送信するステップと、前記データパケットの前記受信または送信に応答して前記タイマを停止するステップとを含むことを特徴とする方法。
【００３１】
６．前記データパケットは、プロトコルデータユニット（ＰＤＵ）、非アクセス層（ＮＡＳ）メッセージ、または無線リソース制御（ＲＲＣ）メッセージであることを特徴とする実施形態５記載の方法。
【００３２】
７．タイマを動作させるように構成された無線送受信ユニット（ＷＴＲＵ）であって、回線交換（ＣＳ）呼要求およびハンドオーバコマンドを受信するように構成された受信機と、前記ＣＳ呼要求に応答して拡張パケット交換移動管理サービス要求（ＥＳＲ）を送信するように構成された送信機と、前記ＥＳＲの前記送信に応答して前記タイマを始動し、前記ハンドオーバコマンドを受信したとき前記タイマを停止するように構成されたプロセッサとを具えたことを特徴とする無線送受信ユニット（ＷＴＲＵ）。
【００３３】
８．前記ハンドオーバコマンドはセル変更メッセージであることを特徴とする実施形態７記載の無線送受信ユニット（ＷＴＲＵ）。
【００３４】
９．前記ＥＳＲ内でＣＳ呼拒否指示を送信するように構成された送信機と、所定の期間の後で前記タイマを停止するように構成されたプロセッサとをさらに備えることを特徴とする実施形態７または８記載の無線送受信ユニット（ＷＴＲＵ）。
【００３５】
１０．前記所定の期間は、前記ＷＴＲＵが前記ＣＳ呼を受け入れたという指示を送信したとき前記タイマが進行するように構成されている時間の長さに基づくものであることを特徴とする実施形態９記載の無線送受信ユニット（ＷＴＲＵ）。
【００３６】
１１．前記ＥＳＲ内でＣＳ呼拒否指示を送信するように構成された送信機と、ＷＴＲＵがデータパケットを受信または送信した後で前記タイマを停止するように構成されたプロセッサとをさらに備えることを特徴とする実施形態７ないし１０のいずれか一項に記載の無線送受信ユニット（ＷＴＲＵ）。
【００３７】
上記では特徴および要素が特定の組合せで述べられているが、各特徴および要素は、他の特徴および要素なしの単独で、または他の特徴および要素との、もしくは他の特徴および要素を用いない様々な組合せで使用することができる。本明細書において提供されている方法または流れ図は、汎用コンピュータまたはプロセッサによって実行するためのコンピュータ可読記憶媒体内に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ならびにＣＤ−ＲＯＭディスクおよびデジタル多用途ディスク（ＤＶＤ）など光媒体を含む。
【００３８】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、ならびに任意の他のタイプの集積回路（ＩＣ）、および／または状態機械を含む。
【００３９】
ソフトウェアに関連付けられたプロセッサを使用し、無線送受信ユニット（ＷＴＲＵ）、ユーザ機器（ＵＥ）、端末、基地局、無線ネットワークコントローラ（ＲＮＣ）、または任意のホストコンピュータ内で使用するための無線周波数トランシーバを実装することができる。ＷＴＲＵは、カメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールもしくは超広帯域無線（ＵＷＢ）モジュールなど、ハードウェアおよび／またはソフトウェアで実装されるモジュールと共に使用することができる。
【図１】
2015159621.tif 000003
【図２】
2015159621.tif 000004
【図３】
2015159621.tif 000005
【図４】
2015159621.tif 000006
【図５】
2015159621.tif 000007
【図６】
2015159621.tif 000008
【図７Ａ】
2015159621.tif 000009
【図７Ｂ】
2015159621.tif 000010
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
発展型ノードＢ（ｅＮＢ）における使用のための方法であって、
回線交換（ＣＳ）サービス通知を無線送信受信ユニット（ＷＴＲＵ）に送信するステップと、
発展型パケットシステムモビリティ管理拡張サービス要求（ＥＳＲ）メッセージを前記ＷＴＲＵから受信するステップと、
前記ＥＳＲメッセージに応答して、ハンドオーバコマンドを前記ＷＴＲＵへ送信するステップであって、前記ハンドオーバコマンドは前記ＷＴＲＵにおいてタイマの停止を生じさせ、前記タイマは、前記ＥＳＲメッセージを送信すると、始動する、ステップと、
を含む、方法。
【請求項２】
前記ハンドオーバコマンドは前記ＷＴＲＵに、他の無線アクセス技術（ＲＡＴ）にハンドオーバするように指示する、請求項１に記載の方法。
【請求項３】
回線交換（ＣＳ）サービス通知を無線送信受信ユニット（ＷＴＲＵ）に送信するように構成された送信機と、
発展型パケットシステムモビリティ管理拡張サービス要求（ＥＳＲ）メッセージを前記ＷＴＲＵから受信するように構成された受信機と、
を備え、
前記送信機は、前記ＥＳＲメッセージに応答して、ハンドオーバコマンドを前記ＷＴＲＵへ送信するようにさらに構成され、前記ハンドオーバコマンドは前記ＷＴＲＵにおいてタイマの停止を生じさせ、前記タイマは、前記ＥＳＲメッセージを送信すると、始動する
発展型ノードＢ（ｅＮＢ）。
【請求項４】
前記ハンドオーバコマンドは前記ＷＴＲＵに、他の無線アクセス技術（ＲＡＴ）にハンドオーバするように指示する、請求項３に記載のｅＮＢ。
【請求項５】
発展型ノードＢ（ｅＮＢ）における使用のための方法であって、
回線交換（ＣＳ）サービス通知を無線送信受信ユニット（ＷＴＲＵ）に送信するステップと、
発展型パケットシステムモビリティ管理拡張サービス要求（ＥＳＲ）メッセージを前記ＷＴＲＵから受信するステップと、
前記ＥＳＲメッセージに応答して、セル変更コマンドを前記ＷＴＲＵへ送信するステップであって、前記セル変更コマンドは前記ＷＴＲＵにおいてタイマの停止を生じさせ、前記タイマは、前記ＥＳＲメッセージを送信すると、始動する、ステップと、
を含む、方法。
【請求項６】
前記セル変更コマンドは前記ＷＴＲＵに、セル変更手続を実行するように指示する、請求項５に記載の方法。
【請求項７】
回線交換（ＣＳ）サービス通知を無線送信受信ユニット（ＷＴＲＵ）に送信するように構成された送信機と、
発展型パケットシステムモビリティ管理拡張サービス要求（ＥＳＲ）メッセージを前記ＷＴＲＵから受信するように構成された受信機と、
を備え、
前記送信機は、前記ＥＳＲメッセージに応答して、セル変更コマンドを前記ＷＴＲＵへ送信するようにさらに構成され、前記セル変更コマンドは前記ＷＴＲＵにおいてタイマの停止を生じさせ、前記タイマは、前記ＥＳＲメッセージを送信すると、始動する
発展型ノードＢ（ｅＮＢ）。
【請求項８】
前記セル変更コマンドは前記ＷＴＲＵに、セル変更手続を実行するように指示する、請求項７に記載のｅＮＢ。